(57)【要約】  【課題】  冷風及び温風を室内全体に作用するように効率的に循環させる。  【解決手段】  室内の床面から天井面又は天上面近くまで至る長さの筒状部１と、該筒状部１の両端側周面に開口された換気口２，３と、筒状部１に内蔵された送風機４とを含む。  【選択図】  図１
2008101850.tif 000002
【特許請求の範囲】
【請求項１】
室内の床面から天井面又は天上面近くまで至る長さの筒状部と、該筒状部の両端側周面に開口された換気口と、筒状部に内蔵された送風機とを含む冷暖房器用循環装置。
【請求項２】
前記送風機がその送風方向を正逆切替え可能なものである請求項１に記載の冷暖房器用循環装置。
【請求項３】
前記筒状部がその長手方向に伸縮可能である請求項１又は請求項２に記載の冷暖房器用循環装置。
【請求項４】
前記筒状部の両端面又はいずれか一端面に、筒状部を室内の床面及び天井面に亘って固定及び固定解除する固定部材を備えている請求項１乃至請求項３いずれか１項に記載の冷暖房器用循環装置。
【発明の詳細な説明】
【技術分野】
【０００１】
本発明は、冷暖房器から吹き出される冷風及び温風を室内全体に作用させるための冷暖房用冷温風循環装置に関する。
【背景技術】
【０００２】
従来、冷暖房器から噴出される冷風及び温風を室内全体に作用させるために、冷暖房器における吹き出し口に吹き出し方向を変更するためのフラップを備えたり、扇風機等で冷風及び温風を循環させたりしている。
【発明の開示】
【発明が解決しようとする課題】
【０００３】
ところで、冷たい空気は下方へ暖かい空気は上方へ行くが、冷暖房器に備えられたフラップや扇風機では、冷風及び温風を室内全体に作用するように循環させるには、効率性に欠けている。
本出願人は、冷風及び温風を室内全体に作用するように効率的に循環させるという観点から、鋭意研究の結果本発明に至ったものである。
尚、本出願人の知り得る範囲において、前記課題を解決した先行技術文献情報に関しては存在しない。
【０００４】
本発明は、冷風及び温風を室内全体に作用するように効率的に循環させることを課題とし、この課題を解決する冷暖房用冷温風循環装置の提供を目的とする。
【課題を解決するための手段】
【０００５】
前記目的を達成するため、本発明が採用した技術的手段は、室内の床面から天井面又は天上面近くまで至る長さの筒状部と、該筒状部の両端側周面に開口された換気口と、筒状部に内蔵された送風機とを含む冷暖房器用循環装置にしたことである。
【０００６】
又、冷暖房器用循環装置を冷房時期と暖房時期とにおいて、その送風方向を上下切替えるという観点から、前記送風機をその送風方向を正逆切替え可能とすることが好ましい。
【０００７】
又、冷暖房器用循環装置の高さを室内における床面から天井までの高さに対応させるという観点から、前記筒状部をその長手方向に伸縮可能とすることが好ましい。
【０００８】
又、冷暖房用冷温風循環装置を室内に確実に固定したり外したりするという観点から、前記筒状部の両端面又はいずれか一端面に、筒状部を室内の床面及び天井面に亘って固定及び固定解除する固定部材を備えることが好ましい。
【発明の効果】
【０００９】
本発明の冷暖房用冷温風循環装置によれば、冷風及び温風を室内全体に作用するように効率的に循環させることができる。
【発明を実施するための最良の形態】
【００１０】
以下、本発明に係る冷暖房用冷温風循環装置を実施するための最良の形態を図面に基づいて説明する。
図１〜図３は、本発明に係る冷暖房用冷温風循環装置の第１形態を示し、図４は、本発明に係る冷暖房用冷温風循環装置の第２実施例を示す。
【００１１】
第１形態の冷暖房用冷温風循環装置（以下「循環装置」と略称する）Ａは、両端部が閉塞された円筒状の筒状部１と、該筒状部１の両端側周面に開口された換気口２，３と、筒状部１に内蔵された送風機４と、筒状部１の両端部に夫々配設された固定部材５とを備えている。
【００１２】
筒状部１は、金属材や硬質の合成樹脂材を用いて上下方向（床面から天井面に亘る方向）に長尺に、且つ床面６から天井面７までの高さよりも低く形成されている。
具体的な高さとしては、循環装置Ａを室内に立設したり外したりする際に傾けたときに、筒状部１の上端部縁が天井に接触しない程度の高さである。
【００１３】
前記換気口２，３は、筒状部１の両端側周面に周設された複数のスリットＳからなり、該換気口２，３は、暖房時においては、上側に位置する換気口（図では換気口２）が上方の温風を吸い込む吸い込み口となり、下側に位置する換気口（図では換気口３）が吸い込まれた温風を吹き出す吹き出し口となる。
そして、冷房時においては、前記暖房時における吸い込み口と吹き出し口の関係が逆となる。
【００１４】
前記送風機４は、その送風方向を上下（正逆）切替え可能なものであり、切替えスイッチ（図示せず）の操作により、送風方向を切替えるようにしている。
すなわち、冷房時と暖房時で、送風機４の送風方向を上下切替えることにより、前記した吸い込み口と吹き出し口の切替えを行うことができる。
尚、送風方向を上下切替える手段として、送風機の送風方向を上下切替える手段の他に、筒状部自体を上下に反転させてその上下関係を切替える手段によっても可能である。
【００１５】
前記固定部材５は、筒状部１の端部に対してその中心に上下動可能に螺子込まれる螺子部材５１と、該螺子部材５１の上端に固着された円盤状の接触部材５２とからなる。
前記接触部材５２は、金属材や硬質の合成樹脂材を用いて筒状部１の径と同径に形成されている。
そして、筒状部１を立設した状態で、上下の接触部材５２又は上下いずれか一方の螺子部材５２を上昇させて、接触部材５１を床面及び天井面に対して押し付けることにより、筒状部１が床面と天井面とに亘って突っ張るように立設されるため、循環装置Ａを室内にガタツキなく確実に固定することができる。
尚、符号５３は、ロックナットである。
【００１６】
本形態の循環装置Ａによれば、暖房時においては、送風機４の送風方向を下側送風にセットし上側に位置する換気口２から上方の温風を吸い込んで、吸い込んだ温風を下側に位置する換気口３から吹き出すようにすることで、上方にある暖かい空気を下方に移動させることができる。
そして、換気口３から吹き出された温風が上方へ向かい、再び換気口２から吸い込まれて換気口３から吹き出すので、温風を上下方向に循環することができる。
冷房時においては、送風機の送風方向を上側送風に切替えることにより、側に暖房時の吸い込み及び吹き出し関係が逆となり、下方の冷風が上方へ吹き出すので、冷風を上下方向に循環することができる。
したがって、冷風及び温風を室内全体に作用するように効率的に循環させることができる。
【００１７】
以下、第２形態の循環装置Ａを図４に基づいて説明するが、本形態の循環装置Ａは、筒状部１が上下方向に伸縮可能に構成されたものである以外は、第１形態で例示した循環装置Ａと同様の構成を有しているので、重複する部位についての説明は、同符号を付すことにより省略する。
【００１８】
本形態の循環装置Ａにおける筒状部１は、床面側の筒体部１１と天井面側の筒体部１２との２部材からなるものであり、前記筒体部１１に対して前記筒体部１２が被さるように螺合されてなる。
具体的には、筒体部１１の外周に雄螺子１１Ａを形成する一方、筒体部１２の内周に前記雄螺子１１Ａに螺合する雌螺子１２Ａを形成し、これを螺合することにより、上下方向に伸縮可能な筒状部１が構成される。
そして、筒体部１２を回動させて該筒体部１２を上下動させることにより、筒状部１を上下方向に伸縮させることができる。
尚、本形態の送風機４は筒状部１１に内蔵されているため、筒体部１１と筒体部１２との螺合に障害にならない。
【００１９】
本形態の循環装置によれば、第１形態の循環装置Ａと同様の作用効果を有し、その上、筒状部１を上下に伸縮することにより、様々な床面から天井面までの高さの室内に対応可能なものとすることができ、しかも収縮することにより良好な仕舞性を実現することができる。
【００２０】
尚、本発明は、例示した実施の形態に限定するものでは無く、特許請求の範囲の各項に記載された内容から逸脱しない範囲の構成による実施が可能である。
例えば、筒状部の形状は、例示した円筒状以外にも、三角柱状や四角柱状等の形状も挙げられる。
又、第２形態における筒状部の伸縮形態は、例示した螺合によるもの以外にも、蛇腹による伸縮形態等も挙げられる。
【図面の簡単な説明】
【００２１】
【図１】本発明に係る第１形態の冷暖房用冷温風循環装置の立設状態の切欠正面図。
【図２】図１の（２）−（２）線拡大断面図。
【図３】図１の要部拡大図。
【図４】本発明に係る第２形態の冷暖房用冷温風循環装置の立設状態の切欠正面図。
【符号の説明】
【００２２】
Ａ：循環装置
１：筒状部
２：換気口
３：換気口
４：送風機
５：固定部材
５１：螺子部材
５２：接触部材
１１：筒体部
１２：筒体部
１１Ａ：雄螺子
１２Ａ：雌螺子
６：床面
７：天井面
【図１】
2008101850.tif 000003
【図２】
2008101850.tif 000004
【図３】
2008101850.tif 000005
【図４】
2008101850.tif 000006